(57)【要約】      （修正有）【課題】表示内容及び各種パラメータの変更操作に応じて外光検知による表示画面の自動明るさ調整を行う撮像装置及び画像表示方法を提供する。【解決手段】周囲の明るさを測定する測定手段の測定結果に基づいて、被写体を撮像して取得された画像データに基づいて前記被写体の画像を表示する表示手段の明るさを制御する表示制御手段とを有し、前記表示制御手段は、前記表示手段に表示されている画像に関するパラメータを変更するパラメータ変更手段により前記画像に関するパラメータを変更しているか否かに応じて、前記表示手段の明るさの制御を変える。【選択図】図５
2010063036.tif 000002
【特許請求の範囲】
【請求項１】
被写体を撮像して取得された画像データに基づいて前記被写体の画像を表示する表示手段と、
周囲の明るさを測定する測定手段と、
前記表示手段に表示されている画像に関するパラメータを変更するパラメータ変更手段と、
前記測定手段の測定結果に基づいて前記表示手段の明るさを制御する表示制御手段と、
を有し、
前記表示手段は、前記パラメータ変更手段による前記画像に関するパラメータの変更を反映させた画像を表示し、
前記表示制御手段は、前記パラメータ変更手段により前記画像に関するパラメータを変更しているか否かに応じて、前記表示手段の明るさの制御を変えることを特徴とする撮像装置。
【請求項２】
前記表示制御手段は、前記パラメータ変更手段により前記画像に関するパラメータを変更しているときは、前記画像に関するパラメータを変更していないときよりも前記測定手段の測定結果に対する応答性を鈍くして前記表示手段の明るさを制御することを特徴とする請求項１記載の撮像装置。
【請求項３】
前記表示制御手段は、前記パラメータ変更手段により前記画像に関するパラメータを変更しているときは、前記画像に関するパラメータを変更していないときよりも前記表示手段の明るさを変更する間隔を長くすることを特徴とする請求項２記載の撮像装置。
【請求項４】
前記表示制御手段は、前記測定手段で測定した周囲の明るさの変化量が所定値以上であれば前記表示手段の明るさを変更し、
前記パラメータ変更手段により前記画像に関するパラメータを変更しているときは、前記画像に関するパラメータを変更していないときよりも前記所定値を大きくすることを特徴とする請求項２記載の撮像装置。
【請求項５】
前記表示制御手段は、前記パラメータ変更手段により前記画像に関するパラメータを変更しているときは、前記表示手段の明るさを変更しないことを特徴とする請求項１記載の撮像装置。
【請求項６】
前記表示制御手段は、前記パラメータ変更手段により前記画像に関するパラメータを変更してから所定時間が経過するまでの間は、前記表示手段の明るさを変更しないことを特徴とする請求項１乃至５のいずれか１項記載の撮像装置。
【請求項７】
被写体を撮像して取得された画像データに基づいて前記被写体の画像を表示する表示手段と、
周囲の明るさを測定する測定手段と、
前記表示手段に表示されている画像に関するパラメータを変更するパラメータ変更手段と、
前記測定手段の測定結果に基づいて前記表示手段の明るさを制御する表示制御手段と、
を有し、
前記表示手段は、前記パラメータ変更手段による前記画像に関するパラメータの変更を反映させた画像を表示する第１の表示モードと、前記パラメータ変更手段による前記画像に関するパラメータの変更を反映させた画像を表示しない第２の表示モードを有し、
前記表示制御手段は、前記表示手段が前記第１の表示モードと前記第２の表示モードとで前記表示手段の明るさの制御を変えること特徴とする撮像装置。
【請求項８】
前記表示制御手段は、前記表示手段が前記第１の表示モードのときは、前記第２の表示モードのときよりも前記測定手段の測定結果に対する応答性を鈍くして前記表示手段の明るさを制御することを特徴とする請求項７記載の撮像装置。
【請求項９】
前記表示制御手段は、前記表示手段が前記第１の表示モードのときは前記表示手段の明るさを変更しないことを特徴とする請求項７に記載の撮像装置。
【請求項１０】
前記画像に関するパラメータは、前記画像データを取得する際の前記撮像装置の撮影条件に関するパラメータ及び前記画像データの画質に関するパラメータの少なくとも１つであることを特徴とする請求項１乃至９のいずれか１項記載の撮像装置。
【請求項１１】
被写体を撮像して取得された画像データに基づいて前記被写体の画像を表示手段に表示する表示ステップと、
周囲の明るさを測定する測定ステップと、
前記表示手段に表示されている画像に関するパラメータを変更するパラメータ変更ステップと、
前記測定ステップの測定結果に基づいて前記表示手段の明るさを制御する表示制御ステップと、
を有し、
前記表示ステップは、前記パラメータ変更ステップでの前記画像に関するパラメータの変更を反映させた画像を表示し、
前記表示制御ステップは、前記パラメータ変更ステップで前記画像に関するパラメータを変更しているか否かに応じて、前記表示手段の明るさの制御を変えることを特徴とする画像表示方法。
【発明の詳細な説明】
【技術分野】
【０００１】
本発明は、撮像装置及び画像表示方法に関するものである。
【背景技術】
【０００２】
近年、デジタルカメラ等の撮像装置は、液晶ディスプレイなどの画像表示装置に様々な表示を行うことができる。例えば、撮影前の被写体像を表示することができ、また、撮影した後の画像データを再生して表示することもできる。更に、撮像装置の各種パラメータを表示して、画質の設定をグラフィカルユーザインタフェースにより行うことができる。
【０００３】
また、上述したような撮像装置において、ユーザが撮影前に構図だけでなく、撮影後の露出や現像結果をシミュレートしたプレビューを画像表示装置に表示することができるものもある。その他にも、撮影した後の画像に画像処理を施し（以下、「再現像」と表記する）、新規に画像を保存することができ、画像処理を施した画像を保存する前に画像処理の結果を画像表示装置にプレビューする機能を持つものもある。
【０００４】
一方、画像表示装置において、近年、外光の明るさを測定し、測定結果に応じて画面の明るさを自動調整することで、画像や文字や図形等の表示を好適にする画像表示装置が提案されている。
【０００５】
特許文献１は、透過型液晶ディスプレイにおいて、外光検知した結果に基づき、液晶パネルの背面にあるバックライトの光度を調整する技術を開示している。特許文献２は、反射型液晶ディスプレイにおいて、外光検知した結果に基づき、液晶パネルの表示画面を照明する照明手段の明るさを調整する技術を開示している。特許文献３は、有機ＥＬディスプレイにおいて、外光検知した結果に基づき、電極間の電圧レベルを調整することにより、蛍光体材料の発光量を調節する技術を開示している。特許文献４は、外光検知した結果に基づき、画像の画質調整パラメータを用いる技術を開示している。
【特許文献１】特開平１１−２９５６９２号公報
【特許文献２】特開２０００−１００６８号公報
【特許文献３】特開２００２−２９７０９６号公報
【特許文献４】特開２００１−３０９２８０号公報
【発明の開示】
【発明が解決しようとする課題】
【０００６】
しかしながら、上述の画像表示装置のように、外光検知した結果に基づき表示画面の明るさを自動調整すると、ユーザにとって不都合が生じる場合がある。例えば、ユーザが、撮影前にプレビューを見ながら撮像装置の各種撮像パラメータや現像パラメータを変更し、撮影結果を確認している場合である。或いは、ユーザが、再現像処理を行う際にプレビューを見ながら撮像装置の再現像用の現像パラメータを変更し、再現像処理結果を確認している場合である。そのような場合、画像表示装置が外光検知した結果に基づき表示画面の明るさを自動調整することで、ユーザが意図するように表示されている画像に関するパラメータ、即ち、上述の撮像装置の各種撮像パラメータや現像パラメータを変更できなくなってしまう。
【０００７】
そこで、本発明は、画面の表示内容及び各種パラメータの変更操作に応じて外光検知による表示画面の自動明るさ調整を行う撮像装置及び画像表示方法を提供することを目的とする。
【課題を解決するための手段】
【０００８】
上記課題を解決するために、本発明の撮像装置は、被写体を撮像して取得された画像データに基づいて前記被写体の画像を表示する表示手段と、周囲の明るさを測定する測定手段と、前記表示手段に表示されている画像に関するパラメータを変更するパラメータ変更手段と、前記測定手段の測定結果に基づいて前記表示手段の明るさを制御する表示制御手段とを有し、前記表示手段は、前記パラメータ変更手段による前記画像に関するパラメータの変更を反映させた画像を表示し、前記表示制御手段は、前記パラメータ変更手段により前記画像に関するパラメータを変更しているか否かに応じて、前記表示手段の明るさの制御を変えることを特徴とする。
【発明の効果】
【０００９】
本発明によれば、自動明るさ調整によるユーザの意図しない表示画面の明るさ変化を軽減することができる。
【発明を実施するための最良の形態】
【００１０】
以下、本発明の撮像装置及び画像表示方法を実施するための最良の形態について図面等を参照して説明する。
【００１１】
（第１実施形態）
図１は、本発明の第１実施形態における撮像装置（デジタルカメラ）の構成図である。デジタルカメラ１００は、以下を備えている。
【００１２】
フォーカシングレンズ１０１、ズーミングレンズ１０２、及び、絞り１０３は、撮像光学系を構成し、後述のＣＰＵ１０９により制御する。フォーカシングレンズ１０１は、光軸方向に進退動作することにより焦点調節を行う。ズーミングレンズ１０２は、同じく光軸方向に進退動作することにより変倍を行う。絞り１０３は、撮像素子への光量を調節する。
【００１３】
撮像素子１０４〜フレームメモリ１０８は、撮像光学系で形成された被写体の光学像をデジタル画像信号又は画像データに変換する光電変換系を構成する。撮像素子１０４は、ＣＣＤ撮像素子又はＣＭＯＳ撮像素子等で構成する光電変換手段である。撮像素子１０４は、上記撮像光学系で形成された被写体像を光電変換し、画像信号を出力する。更に、撮像素子１０４は、電子シャッター機能を有しており、露光時間を調整することができる。ただし、デジタルカメラ１００は、撮像素子１０４の電子シャッター機能の代わりに、機械式のシャッターを備え、露光時間を調整する構成としても良い。前処理回路１０５は、ＣＤＳ（相関二重サンプリング）回路及びＡＧＣ（オートゲインコントロール）回路等を含み、撮像素子１０４の出力画像信号のノイズを除去し、ゲインを制御する。
【００１４】
Ａ／Ｄコンバータ１０６は、前処理回路１０５が出力するアナログ画像信号をデジタル画像信号に変換する。画像信号処理部１０７は、デジタル画像信号に、撮像光学系の特性に起因する輝度ムラに対して、一様な明るさの画像になるように補正するシェーディング補正等の画像信号処理を施す。更に、画像信号処理部１０７は、撮像素子１０４の特性に起因する画像濃度の非線形性、及び光源に起因する画像色の偏りを補正する。
【００１５】
フレームメモリ１０８は、撮像素子１０４〜画像信号処理部１０７により生成された画像信号を一時的に記憶するバッファメモリである。以下、フレームメモリ１０８に格納された画像データを「ＲＡＷデータ」（第１の画像データ）と呼ぶ。また、ＲＡＷデータを取得したときの撮影条件に関するパラメータを「撮像パラメータ」と呼ぶ。ここで、撮像パラメータは、絞り１０３の設定値である絞り値、電子シャッター及び機械式シャッターの設定値であるシャッタースピード、並びに前処理回路１０５の設定値であるゲイン値を含む。以下、絞り値は「Ａｖ」、シャッタースピードは「Ｔｖ」、ゲイン値は「ＩＳＯ」とする。
【００１６】
ＣＰＵ１０９は、デジタルカメラ１００全体を制御するユニットである。ＣＰＵ１０９は、撮像素子１０４の画像信号の読み出しを制御するクロック信号を送出し、撮像素子１０４〜フレームメモリ１０８の動作タイミングを制御する。電源１１０は、デジタルカメラ１００内の各回路に電源を供給する。
【００１７】
不揮発性メモリ１１１は、電源１１０がオンになった時にカメラに設定される初期カメラ設定値を記録する。不揮発性メモリ１１１は、ＥＥＰＲＯＭ等である。不揮発性メモリ１１１に記録されたデータは、電源１１０がオフになっても消去されない。
【００１８】
現像処理部１１２は、ＣＰＵ１０９が読み出したＲＡＷデータを、現像パラメータの設定に基づいて画像処理を行う。本実施形態では、現像処理部１１２にて画像処理された画像データを「第２の画像データ」とする。なお、「現像パラメータ」とは、デジタル画像データの画質に関するパラメータを示す。例えば、デジタル画像データのホワイトバランス、色補間、色補正、γ変換、エッジ強調、解像度、記録方式、圧縮率などに関するパラメータを示す。
【００１９】
記録方式は、ＪＰＥＧ（Joint Photographic
Experts Group）形式とＲＡＷ形式とがある。ＪＰＥＧ形式は、ＲＡＷデータに対して適応離散コサイン変換（ＡＤＣＴ）による不可逆圧縮処理を行い、ファイルサイズ容量を小さくすることができる。しかしながら、圧縮率を大きくすると、ＪＰＥＧ形式のファイルは、ファイルサイズ容量を小さくできるが、画質が劣化する。これに対して、ＲＡＷ形式は、ＲＡＷデータに対してロスレス圧縮（可逆圧縮）を行い、ファイルサイズ容量を小さくすることができる。しかしながら、ＲＡＷ形式は、可逆圧縮であるので、ＲＡＷ形式のファイルは、画像情報を欠落することなくファイルサイズ容量を小さくできるが、ＪＰＥＧ形式のファイルほど小さいファイルサイズにはできない。
【００２０】
また、現像処理部１１２は、ＲＡＷデータを任意の調整処理（再現像）を行って表示用の画像フォーマットに変更することもできる。そのため、ＲＡＷ形式では、撮影時の現像パラメータを付加しておき、再現像時のパラメータとして利用することもできる。以下、1つ以上の現像パラメータを用いてデジタル画像データの画質を調整（変更）する処理のことを「現像処理」と呼ぶ。
【００２１】
ＲＡＭメモリ１１３は、現像処理部１１２にて画像処理を施された第２の画像データの他、ＣＰＵ１０９が各種処理を行う際に、データを一時的に記憶する。
【００２２】
表示制御部（表示制御手段）１１４は、デジタルカメラ１００に各種備えられた、液晶表示素子からなるＴＦＴ１１５と、ＶＩＤＥＯ出力端子１３２と、Ｄ端子１３３と、ＨＤＭＩ端子１３４とに接続されている。
【００２３】
表示制御部１１４は、ＴＦＴ１１５の駆動及び制御を行う。また、ＶＩＤＥＯ出力端子１３２でのＶＩＤＥＯのコネクタの挿抜検知、Ｄ端子１３３でのＤ端子のコネクタの挿抜検知、及びＨＤＭＩ端子１３４でのＨＤＭＩ端子のコネクタの挿抜検知を行う。  また、表示制御部１１４は、ＲＡＭメモリ１１３に表示用の画像フォーマットで保存されている画像データを、外部接続された各種映像表示装置へ出力する。
【００２４】
ＴＦＴ（表示手段）１１５は、バックライトを有しており、表示制御部１１４に制御されて明るさを０〜３１の３２段階で調整することができる。ここで、明るさの値は、小さいほど暗い。本実施形態では、ＴＦＴ１１５は、透過型液晶ディスプレイとしているが、反射型液晶ディスプレイや有機ＥＬディスプレイ等も使用可能であり、ディスプレイの明るさ調整ができる表示装置であれば、表示方式は制約されない。
【００２５】
メインスイッチ１１６は、デジタルカメラ１００を起動するためのスイッチである。ユーザがメインスイッチ１１６をオンにすると、ＣＰＵ１０９は、所定のプログラムを実行する。レリーズスイッチ１１７、１１８は、自動露出調節機能や自動焦点調節機能を機能させるためのスイッチであり（レリーズ操作）、レリーズボタンの前半のストロークにより前述の機能をさせた後、後半のストロークによりシャッターを作動させる。本実施形態における第１レリーズスイッチ１１７は、レリーズボタンの第１ストローク（半押し状態）でオンになり、第２レリーズスイッチ１１８は、レリーズボタンの第２ストローク（全押し状態）でオンとなる。
【００２６】
カード入出力部１１９は、カードスロット１２０へ挿入されたメモリカード１２１にコマンドを送信し、メモリカード１２１との間で種々のデータを送受信する。カードスロット１２０は、着脱可能な記録媒体であるメモリカード１２１を差し込むスロットである。
【００２７】
ＵＳＢ制御部１２７は、ＵＳＢ端子１２８でのＵＳＢコネクタの挿抜検知、ＵＳＢ接続の通信の信号駆動及び制御をする。ＬＡＮ制御部１２９は、有線ＬＡＮ端子１３０の挿抜検知と、有線ＬＡＮ接続の通信の信号駆動及び制御と、無線ＬＡＮ１３１の無線ＬＡＮ通信の信号駆動及び制御をする。
【００２８】
操作ボタン１４０〜１４２は、ＣＰＵ１０９に対し、ユーザ所望の処理を指示するための選択ボタンである。ＣＰＵ１０９は、左選択ボタン１４０、右選択ボタン１４１、及び設定ボタン１４２の押下と、デジタルカメラ１００の動作状態に応じて制御される。例えば、ユーザは、デジタルカメラ１００の動作状態が再生状態であれば、左選択ボタン１４０の操作で前の画像データを表示させ、また、右選択ボタン１４１の操作で次の画像データを表示させる。また、現在接続されている表示デバイス（ＴＦＴ、ＶＩＤＥＯ出力、Ｄ端子出力、ＨＤＭＩ端子出力）は現状選択されている表示デバイス上にグラフィカルユーザインタフェースで表示することができる。そして、操作ボタン（左選択ボタン１４０、右選択ボタン１４１、設定ボタン１４２）を使って選択することで切り替えることができる。
【００２９】
現像パラメータ変更ボタン（パラメータ変更手段）１４３は、現像パラメータの確認及び設定を行うボタンであり、メニュー操作によりグラフィカルユーザインタフェースで行うことができる。
また、ユーザは、上記の操作ボタン１４０〜１４３によるメニュー操作により、ＵＳＢ接続が確立していれば、ＵＳＢの通信で画像データをＰＣ等の外部のデバイス送ることができる。有線ＬＡＮ、無線ＬＡＮの操作についても同様である。
【００３０】
Ａｖ変更ダイヤル１４４、Ｔｖ変更ダイヤル１４５、及び、ＩＳＯ変更ダイヤル１４６は、それぞれ撮像パラメータであるＡｖ、Ｔｖ、及びＩＳＯを設定、変更するためのダイヤル（パラメータ変更手段）である。外光センサー（測定手段）２００は、デジタルカメラ１００の周囲の明るさ（外光）を検出する。なお、ＣＰＵ１０９は、外光センサー２００で検出した外光の明るさをＡ／Ｄ変換し、デジタルデータとして値（外光強度）を取得することができる。本実施形態では、外光強度は、０〜１２７の１２８段階の値をとり、値が小さいほど暗いことを意味する。
【００３１】
ここで、メモリカード（記録媒体）１２１について説明する。メモリカード１２１は、圧縮画像信号を記録又は保存する機能を具備し、大容量の不揮発性半導体メモリ、磁気ディスク又は光ディスク等からなる。また、メモリカード１２１は、カードスロット１２０に差し込んだ状態で、カード入出力部１１９と電気的に接続する。なお、本実施形態では、記録媒体としてメモリカード１２１を採用しているが、その他の記録媒体、例えば、ハードディスク、光ディスク、光磁気ディスク、磁気ディスク、及び、その他の固体メモリを使用してもよい。
【００３２】
ＣＰＵ１０９は、ＲＡＭメモリ１１３内の画像処理が施された画像データを、Ｅｘｉｆ規格のファイルフォーマットに従って、カード入出力部１１９を制御し、カードスロット１２０へ挿入されたメモリカード１２１に記録する。Ｅｘｉｆ規格のファイルは、デジタルカメラ１００で画像を撮影した時のカメラ情報を、タグ形式で撮影した画像データと同一ファイルに記録することができる。Ｅｘｉｆのカメラ情報は、撮影時の明るさに関するカメラ情報として、例えば、絞り値（Ａｖ）タグ、シャッタースピード（Ｔｖ）タグ、及び輝度値（以下、「Ｂｖ」と表記する）タグなどがある。また、絞り値（Ａｖ）、シャッタースピード（Ｔｖ）、及び輝度値（Ｂｖ）は、ＡＰＥＸ（Additive System of Photographic Exposure）単位の値で記載している。他にも、カメラ情報としてはメーカーノートタグがあり、各デジタルカメラメーカーが独自の画像情報を追加することができる。
【００３３】
次に、本実施形態であるデジタルカメラ１００の動作について説明する。
【００３４】
デジタルカメラ１００は、ユーザが第２レリーズスイッチ１１８をオンにすると、その時点での撮像パラメータに基づき撮影を開始する。ＣＰＵ１０９は、現像処理部１１２に対し、フレームメモリ１０８内のＲＡＷデータを表示用の現像パラメータを用いて現像を行うよう命令する。現像処理部１１２は、ＲＡＷデータを表示用の画像フォーマットデータへ変換し、所定のＲＡＭメモリ１１３へ配置する。
【００３５】
ＣＰＵ１０９は、表示制御部１１４を制御することで、被写体像をＴＦＴ１１５へ出力する。ＣＰＵ１０９が、被写体像をＴＦＴ１１５へ逐次出力することにより、ＴＦＴ１１５は、ライブビュー表示を行うことができる。表示制御部１１４は、表示用の現像パラメータのうちホワイトバランス、色補間、色補正、γ変換、及びエッジ強調を、保存用の現像パラメータを加味して算出することで、撮影結果の画像の色調を再現したライブビュー表示を行うことができる。更に、表示制御部１１４は、表示用の現像パラメータのうち色補間、色補正、及びγ変換を、撮像パラメータを加味して算出することで、撮影結果の画像の露出を再現したライブビュー表示を行うことができる。
【００３６】
本実施形態のデジタルカメラ１００では、特定の撮影状況を想定した現像パラメータの組み合わせを複数用意している。ユーザは、グラフィカルユーザインタフェースと操作ボタン１４０〜１４３を操作して、現像パラメータの各項目（ホワイトバランス、色補間、色補正、γ変換、エッジ強調、解像度、記録方式、及び圧縮率）の組み合わせを選択し設定することができる。以下、現像パラメータの各項目の組み合わせを「現像パラメータセット」とする。
【００３７】
図２は、ＴＦＴ１１５における現像パラメータセットの選択画面である。例えば、現像パラメータセットには、標準、人物、風景、及びモノクロがある。ユーザが、ライブビュー中に現像パラメータ変更ボタン１４３を押すと、ライブビューを背景にシースルー表示した現像パラメータセットの選択設定画面がＴＦＴ１１５にメニュー表示される。そして、ユーザは、操作ボタン１４０、１４１で現像パラメータセットをメニュー上のフォーカスを移動して選択し、設定ボタン１４２で決定することができる。なお、現像パラメータセットを選択中でも、ＴＦＴ１１５は、選択中の現像パラメータセットに基づいた画像が表示される（表示ステップ）。そのため、ユーザは、現像パラメータセットの効果をライブビューで確認することができる。また、ユーザは、撮像パラメータのＡｖをＡｖ変更ダイヤル１４４で、ＴｖをＴｖ変更ダイヤル１４５、ＩＳＯをＩＳＯ変更ダイヤル１４６で変更することができる。そのため、ユーザは、撮像パラメータ変更中に、撮影パラメータを変更することによる画像の変化をライブビューで確認することができる。
【００３８】
次に、本実施形態の自動明るさ調整動作について説明する。図３は、本実施形態における自動明るさ調整動作を示すフローチャートである。
【００３９】
まず、表示制御部１１４は、自動明るさ調整処理を開始する（ステップＳ１００）。次に、表示制御部１１４は、終了フラグをオフにし、ステップＳ１０２に進む（ステップＳ１０１）。次に、ＣＰＵ１０９は、外光センサー２００を用いて外光を測定し、ステップＳ１０３へ進む（測定ステップ）（ステップＳ１０２）。次に、ＣＰＵ１０９は、ステップＳ１０２での測定結果である外光強度に対応したＴＦＴ１１５の明るさを算出して設定を行い、ステップＳ１０４へ進む（ステップＳ１０３）。
【００４０】
図４は、測定結果である外光強度とＴＦＴ１１５の明るさ設定との対応関係を示す表である。ここで、ＴＦＴ１１５の明るさの算出は、例えば、図４の表を用いて算出する。図４によれば、外光強度が「０〜３」であれば、明るさを「０」に設定し、外光強度が「１２４〜１２７」であれば明るさを「３１」に設定する。例えば、外光強度が「５」であれば、明るさ設定を「１」に設定する。このように、測定した外光強度が大きいほどＴＦＴ１１５の明るさを明るくすることで、ＴＦＴ１１５に表示された画像や文字等を見やすくすることができる。
【００４１】
次に、ＣＰＵ１０９は、終了フラグをチェックし、オンでなければステップＳ１０５へ進み、オンであればステップＳ１０６に進み自動明るさ調整を終了する（ステップＳ１０４）。ここで、終了フラグは、後述の明るさ調整制御動作においてＯＮされる。次に、ＣＰＵ１０９は、ＲＡＭメモリ１１３、もしくは不揮発性メモリ１１１に設定されている所定時間（以下、「ポーリング時間」と表記する）が経過すると（Ｓ１０５）、ステップＳ１０２へ進み再び外光を測定する。本実施形態では、ステップＳ１０２〜Ｓ１０５を２００ミリ秒程度の間隔で繰り返す。
【００４２】
次に、本実施形態の自動明るさ調整の制御動作について説明する。図５は、本実施形態における自動明るさ調整の制御動作を示すフローチャートである。明るさ調整制御動作は、ＴＦＴ１１５の画面表示が始まると開始し、ＴＦＴ１１５の画面表示が消されると終了する。明るさ調整制御動作は、ＴＦＴ１１５に表示されている内容と、撮像パラメータ及び現像パラメータの変更操作を加味して自動明るさ調整動作を変更したり停止したりする。
【００４３】
まず、表示制御部１１４は、ＴＦＴ１１５の明るさを調整する制御処理を開始する（ステップＳ２００）。次に、表示制御部１１４は、前述の自動明るさ調整動作を開始し、ステップＳ２０２へ進む（ステップＳ２０１）。ここで、表示制御部１１４は、図３のフローチャートで説明した自動明るさ調整動作を開始するとともに、以下の動作を行う。
【００４４】
次に、ＴＦＴ１１５の表示が、ライブビューによる保存用の現像パラメータもしくは撮像パラメータのシミュレーション表示であれば、ステップＳ２０３へ進み、シミュレーション表示でなければステップＳ２０８へ進む（ステップＳ２０２）。次に、表示制御部１１４は、ＴＦＴ１１５の明るさ設定の算出方法を通常の算出方法と比べ、外光強度に対する応答性が鈍い、すなわち、より明るさの変更が行われにくい算出方法へ変更し、ステップＳ２０４へ進む（ステップＳ２０３）。
【００４５】
図６は、シミュレーション表示中の外光強度とＴＦＴ１１５の明るさ設定との関係を示す表である。ここで、表示制御部１１４は、例えば、外光強度からＴＦＴ１１５の明るさを算出する表を、図４から図６の表へと変更する。図６の表は、図４の表と比べて１つの明るさ設定に対応する外光強度の範囲が広いため、外光強度が変化してもＴＦＴ１１５の明るさが変わりにくい。
【００４６】
また、図４と図６に示すように、１つの明るさ設定に対応する外光強度の範囲を広くするのではなく、外光強度の変化量が所定値以上であれば明るさ設定を変更するように制御し、所定値の値を大きくすることでＴＦＴ１１５の明るさを変わりにくくしてもよい。
【００４７】
また、ＴＦＴ１１５の明るさを変わりにくくする方法として、予め、ポーリング時間を長く設定する方法もある。例えば、ポーリング時間を、通常２００ミリ秒から５秒に変更してもよい。このようにすることで、たとえ外光強度が変化したとしてもＴＦＴ１１５の明るさが変更される間隔を長いため、結果としてＴＦＴ１１５の明るさを変わりにくくすることができる。その他、予め、ヒステリシスを設ける方法もある。
【００４８】
次に、表示制御部１１４は、撮像パラメータ及び現像パラメータの変更操作があるかチェックする。ここで、変更操作があればステップＳ２０５へ進み、変更操作がなければステップＳ２０８へ進む（パラメータ変更ステップ）（ステップＳ２０４）。なお、本実施形態では、表示制御部１１４は、ユーザが、Ａｖ変更ダイヤル１４４、Ｔｖ変更ダイヤル１４５及びＩＳＯ変更ダイヤル１４６の操作を行ったかのチェックを行う。
【００４９】
次に、ＣＰＵ１０９は、終了フラグをオンにして自動明るさ調整を停止し、ステップＳ２０６へ進む（ステップＳ２０５）。次に、ＣＰＵ１０９は、ユーザによる変更操作が行われてからの時間を計測し（Ｓ２０６）、ステップＳ２０７へ進む。次に、ユーザによる変更操作が行われてから所定時間が経過する前に、ユーザが再び撮像パラメータ及び現像パラメータを操作していればステップＳ２０６へ戻り、操作していなければステップＳ２０１へ戻る（表示制御ステップ）（ステップＳ２０７）。なお、ここでの所定時間は自動明るさ調整動作を停止させる時間のことであり、前述のポーリング時間とは異なる。そのため、ここでの所定時間の長さは前述のポーリング時間とは異なる長さであってもよい（例えば、３秒）。
【００５０】
以上のように、ステップＳ２０４〜Ｓ２０７によって、ユーザが撮像パラメータや現像パラメータを変更し、その効果が反映されているシミュレーション表示を確認している間に、表示制御部１１４は、自動明るさ調整を行わない制御を行う。これにより、ユーザは意図しない自動明るさ調整に惑わされることなく、撮像パラメータや現像パラメータの操作前と後における効果の差分をライブビューで確認できる。
【００５１】
次に、ＣＰＵ１０９は、ＴＦＴ１１５の表示がオンの状態であればステップＳ２０２へ戻り、表示がオンの状態でなければステップＳ２０９へ進み、表示制御部１１４は、明るさ調整制御を終了する（ステップＳ２０８）。
【００５２】
なお、上述の明るさ調整制御動作のフローチャートにおいては、表示制御部１１４は、ライブビューによるシミュレーション表示中にも自動明るさ調整を行うが、行わないようにしても良い。その場合は、ステップＳ２０２において、ＴＦＴ１１５がライブビューによるシミュレーション表示中であった場合にはステップＳ２０５に進み、表示制御部１１４は明るさ調整動作を停止する。そして、ＣＰＵ１０９は、ステップＳ２０５の後、ステップＳ２０６を行わずにステップＳ２０７を実施する。ここで、表示制御部１１４によるステップＳ２０７の判定内容が変わって、ＴＦＴ１１５によるライブビューのシミュレーション表示中であれば、ＣＰＵ１０９は、ステップＳ２０７を繰り返し、表示中でなければステップＳ２０１へ戻る。
【００５３】
このフローを実施することにより、ＴＦＴ１１５によるライブビューのシミュレーション表示中は、表示制御部１１４は自動明るさ調整を行わないように制御することができる。
【００５４】
また、シミュレーション表示中か否かに関わらず、ライブビュー中は自動明るさ調整を行わないように制御してもよい。その場合、ステップＳ２０２において、ライブビュー中であるか否かを判断し、ライブビュー中の場合はステップＳ２０５へ進む。そして、ステップＳ２０５の後、ステップＳ２０６を行わずにステップＳ２０７を実施する。その後、ライブビュー中であればステップＳ２０７を繰り返し、ライブビュー中でなければステップＳ２０１へ戻る。
【００５５】
このフローを実施することにより、ＴＦＴ１１５によるライブビュー中は、表示制御部１１４は自動明るさ調整を行わないように制御することができる。
このような制御を行う場合であっても、ＴＦＴ１１５にメニュー画面を表示しているときや再生モードに設定されているときなど、ライブビュー表示モード（第１の表示モード）以外の表示モード（第２の表示モード）であれば自動明るさ調整を行うものとする。
【００５６】
以上のように、本実施形態では、デジタルカメラ１００は、ライブビュー中に撮像パラメータ及び現像パラメータのシミュレーション表示を行っている場合には、通常の自動明るさ調整に比べて、より外光変化に対して応答性の鈍い明るさ調整方法に変更する。若しくは自動明るさ調整を行わないようにする。これにより、シミュレーション表示中のライブビュー画面の明るさが自動的に変化しにくくなり、自動明るさ調整によるユーザの意図しない表示画面の明るさ変化を軽減することができる。
【００５７】
また、大きな外光の変化に対しては、ユーザは表示画面が見づらくなるが、明るさ調整方法が全く調整を行わない方法でなければ、表示制御部１１４が自動的に明るさ調整を行うので、その利便性を損なわない。また、ユーザが撮像パラメータ及び現像パラメータを変更操作している際には、変更前と後の効果をライブビュー画面のシミュレーション表示を比較して確認している。そのため、変更操作後に一定時間自動明るさ調整動作を停止することにより、変更操作による効果を容易に確認することができる。
【００５８】
（第２実施形態）
本発明の第２実施形態であるデジタルカメラ１００は、カードスロット１２０、ＵＳＢ端子１２８、有線ＬＡＮ端子１３０、及び無線ＬＡＮ１３１を経て、ＲＡＭメモリ１１３に配置された画像データを再現像するものである。
【００５９】
本実施形態では、表示制御部１１４は、ＲＡＭメモリ１１３に配置されたＥｘｉｆ形式のファイルからＪＰＥＧ形式及びＲＡＷ形式の圧縮画像データを取り出す。そして、ＣＰＵ１０９は、圧縮データをデコード／リサイズすることにより表示用フォーマットに変換する。ここで、デコード／リサイズ処理は、ＣＰＵ１０９でなく専用ハードを用いても良い。
【００６０】
ＲＡＷ形式の画像データは、撮影時の現像パラメータが付加されているので、ＣＰＵ１０９は、その現像パラメータを用いて表示用フォーマットに変換する。ユーザは、表示用フォーマットに変換された画像データを表示画面に表示（再生）することで、画像をＴＦＴ１１５で確認することができる。
【００６１】
本実施形態のデジタルカメラ１００は、ＲＡＭメモリ１１３内の画像データに対し、ユーザの選択/変更した現像パラメータを用いて再現像処理を行う。画像データは、ＪＥＰＧ形式でカードスロット１２０、ＵＳＢ端子、有線ＬＡＮ端子１３０、及び無線ＬＡＮ１３１を経て記録媒体（メモリカード１２１および外部メディア）に保存することができる。更に、本実施形態のデジタルカメラ１００は、ユーザの再現像処理作業の際に、選択した現像パラメータの効果を同じ表示画面上でシミュレーション表示する。
【００６２】
図７は、本実施形態における自動明るさ調整の制御動作を示すフローチャートである。図７において、図５と符号が同様なものは各々同等の機能を有するため、詳細な説明は省略する。
【００６３】
まず、本実施形態では、ＴＦＴ１１５の表示が、再現像処理の現像パラメータ選択画面における現像結果のシミュレーション表示中であれば、ステップＳ２０３へ進み、シミュレーション中でなければステップＳ２０８へ進む（ステップＳ３０２）。また、表示制御部１１４は、再現像用の現像パラメータの変更操作があるかチェックする。再現像用の現像パラメータの変更操作があればステップＳ２０５へ進み、なければステップＳ２０８へ進む（パラメータ変更ステップ）（ステップＳ３０４）。
【００６４】
その後、表示制御部１１４は、変更操作をしてから所定時間が経過する前に再現像用の現像パラメータの変更操作が再度あるかチェックする。再現像用の現像パラメータの変更操作が再度あればステップＳ２０６へ進み、なければステップＳ２０１へ進む（表示制御ステップ）（ステップＳ３０７）。
【００６５】
以上のように、本実施形態では、デジタルカメラ１００は、再現像用の現像パラメータの選択のための現像パラメータのシミュレーション表示を行っている場合には、通常の自動明るさ調整に比べ、より外光変化に対して応答性の鈍い明るさ調整方法に変更する。これにより、シミュレーション表示中のライブビュー画面の明るさが自動的に変化しにくくなり、自動明るさ調整によるユーザの意図しない表示画面の明るさ変化を軽減することができる。
【００６６】
また、大きな外光の変化に対しては、ユーザは表示画面が見づらくなるが、表示制御部１１４が自動的に明るさ調整を行うので、その利便性を損なわない。また、ユーザが現像パラメータを変更操作している際には、特に変更前と後の効果を表示画面のシミュレーション表示で確認しているので、操作後一定時間自動明るさ調整を無効にすることにより、変更操作による効果を容易に確認することができる。
【００６７】
尚、本発明はその精神、またはその主要な特徴から逸脱することなく、様々な形で実現する事が出来る。従って、前述の実施形態はあらゆる点に於いて単なる例示に過ぎず、限定的に解釈してはならない。
【図面の簡単な説明】
【００６８】
【図１】本発明の実施形態における撮像装置の構成図である。
【図２】表示画面における現像パラメータセットの選択画面である。
【図３】自動明るさ調整動作を示すフローチャートである。
【図４】外光強度と明るさ設定との対応関係を示す表である。
【図５】第１実施形態における明るさ調整の制御を示すフローチャートである。
【図６】シミュレーション中の外光強度と明るさ設定との対応関係を示す表である。
【図７】第２実施形態における明るさ調整の制御を示すフローチャートである。
【符号の説明】
【００６９】
１００    デジタルカメラ
１０１    フォーカシングレンズ
１０２    ズーミングレンズ
１０３    絞り
１０４    撮像素子
１０５    前処理回路
１０６    Ａ／Ｄコンバータ
１０７    画像信号処理部
１０８    フレームメモリ
１１４    表示制御部
１１５    ＴＦＴ
１４３    現像パラメータ変更ボタン
１４４    Ａｖ変更ダイヤル
１４５    Ｔｖ変更ダイヤル
１４６    ＩＳＯ変更ダイヤル
２００    外光センサー
【図１】
2010063036.tif 000003
【図２】
2010063036.tif 000004
【図３】
2010063036.tif 000005
【図４】
2010063036.tif 000006
【図５】
2010063036.tif 000007
【図６】
2010063036.tif 000008
【図７】
2010063036.tif 000009